(57)【特許請求の範囲】
【請求項１】
通路の両側に設けられた一対のフラッパーゲート本体と、
前記フラッパーゲート本体の出口側に設けられたフラッパーと、
前記フラッパーゲート本体の入口側に設けられた第１アンテナと、
前記第１アンテナと前記フラッパーとの間で前記フラッパーゲート本体に設けられた第２アンテナと、
前記第２アンテナと前記フラッパーとの間で前記フラッパーゲート本体に設けられた第３アンテナと、
前記第１アンテナ、前記第２アンテナ、前記第３アンテナの順番でカードの通行情報が受信された場合は、前記フラッパーを開き、前記第１アンテナ、前記第２アンテナ、前記第３アンテナの順番以外の順番で前記通行情報が受信された場合は、前記フラッパーを閉じる制御装置と、
を備え、
前記第１アンテナは、前記フラッパーゲート本体の一方に設けられ、前記通行情報の受信範囲が、前記フラッパーゲート本体の他方の外側に広がることを防止されるとともに前記フラッパーゲート本体の一方の外側に広がるように設定され、
前記第２アンテナは、前記フラッパーゲート本体の他方に設けられ、前記通行情報の受信範囲が、前記フラッパーゲート本体の一方の外側に広がることを防止されるとともに前記フラッパーゲート本体の他方の外側に広がるように設定され、
前記第３アンテナは、前記フラッパーゲート本体の一方に設けられ、前記通行情報の受信範囲が、前記フラッパーゲート本体の他方の外側に広がることを防止されるとともに前記フラッパーゲート本体の一方の外側に広がるように設定されたことを特徴とするフラッパーゲート通行装置。
【請求項２】
前記フラッパーゲート本体に設けられた報知装置、
を備え、
前記制御装置は、前記第１アンテナ、前記第２アンテナ、前記第３アンテナの順番以外の順番で前記通行情報が受信された場合に、前記報知装置に、前記フラッパーゲート本体の入口側から通行することを促す情報を報知させることを特徴とする請求項１記載のフラッパーゲート通行装置。
【請求項３】
通路の両側に設けられた一対のフラッパーゲート本体と、
前記フラッパーゲート本体の出口側に設けられたフラッパーと、
前記フラッパーゲート本体の入口側に設けられた第１アンテナと、
前記第１アンテナと前記フラッパーとの間で前記フラッパーゲート本体に設けられた第２アンテナと、
前記第２アンテナと前記フラッパーとの間で前記フラッパーゲート本体に設けられた第３アンテナと、
前記第１アンテナ、前記第２アンテナ、前記第３アンテナの順番でカードの通行情報が受信された場合は、前記フラッパーを開き、前記第１アンテナ、前記第２アンテナ、前記第３アンテナの順番以外の順番で前記通行情報が受信された場合は、前記フラッパーを閉じる制御装置と、
を備え、
前記制御装置は、前記第１アンテナ、前記第２アンテナ、前記第３アンテナの順番で前記通行情報が受信されて前記フラッパーを開いた後に、前記第２アンテナで前記通行情報が受信された場合は、前記フラッパーを閉じることを特徴とするフラッパーゲート通行装置。
【請求項４】
前記フラッパーゲート本体に設けられた報知装置、
を備え、
前記制御装置は、前記第１アンテナ、前記第２アンテナ、前記第３アンテナの順番で前記通行情報が受信されて前記フラッパーを開いた後に、前記第２アンテナで前記通行情報が受信された場合に、前記報知装置に、再度、前記フラッパーゲート本体の入口側から通行することを促す情報を報知させることを特徴とする請求項３記載のフラッパーゲート通行装置。
【請求項５】
前記制御装置は、前記第１アンテナ、前記第２アンテナ、前記第３アンテナの前記通行情報の受信強度の大きさに基づいて、前記カードの位置を判別することを特徴とする請求項１〜請求項４のいずれかに記載のフラッパーゲート通行装置。
【発明の詳細な説明】
【技術分野】
【０００１】
この発明は、カードの通行情報に基づいて通行管理するフラッパーゲート通行装置に関するものである。
【背景技術】
【０００２】
従来のフラッパーゲート通行装置は、通路の両側にフラッパーゲート本体が設けられる。このフラッパーゲートの入口側には、ＲＦアンテナが設けられる。一方、フラッパーゲート本体の出口側には、フラッパーが設けられる。かかるフラッパーゲート通行装置においては、カードを所持した利用者がフラッパーゲート本体の入口近傍に近づくと、ＲＦアンテナが、カードに組み込まれたＲＦＩＤタグから無線で送信された通行情報を受信する。そして、通行情報の内容に基づいて、フラッパーを開くか否かが判断される（例えば、特許文献１参照）。
【先行技術文献】
【特許文献】
【０００３】
【特許文献１】特開２００７−３２３２２１号公報
【発明の概要】
【発明が解決しようとする課題】
【０００４】
しかしながら、特許文献１記載のものにおいては、ＲＦアンテナが、フラッパーゲート本体の入口側にしか設けられていない。このため、カードを所持した利用者が通路を通行する意思がない場合であっても、フラッパーゲート本体の入口に近づくだけで、フラッパーゲートが開いてしまう。即ち、カードを所持した利用者が通路を所定の方向に進まなくても、フラッパーが勝手に開いてしまい、フラッパーによる通行管理が困難になるという問題があった。
【０００５】
この発明は、上述のような課題を解決するためになされたもので、その目的は、カードを所持した利用者が通路を正しく通行する場合のみにフラッパーを開き、カードを所持した利用者がフラッパーゲート本体の入口に近づいただけの場合は、フラッパーが開くことを防止することができるフラッパーゲート通行装置を提供することである。
【課題を解決するための手段】
【０００６】
この発明に係るフラッパーゲート通行装置は、通路の両側に設けられた一対のフラッパーゲート本体と、前記フラッパーゲート本体の出口側に設けられたフラッパーと、前記フラッパーゲート本体の入口側に設けられた第１アンテナと、前記第１アンテナと前記フラッパーとの間で前記フラッパーゲート本体に設けられた第２アンテナと、前記第２アンテナと前記フラッパーとの間で前記フラッパーゲート本体に設けられた第３アンテナと、前記第１アンテナ、前記第２アンテナ、前記第３アンテナの順番でカードの通行情報が受信された場合は、前記フラッパーを開き、前記第１アンテナ、前記第２アンテナ、前記第３アンテナの順番以外の順番で前記通行情報が受信された場合は、前記フラッパーを閉じる制御装置と、を備え、前記第１アンテナは、前記フラッパーゲート本体の一方に設けられ、前記通行情報の受信範囲が、前記フラッパーゲート本体の他方の外側に広がることを防止されるとともに前記フラッパーゲート本体の一方の外側に広がるように設定され、前記第２アンテナは、前記フラッパーゲート本体の他方に設けられ、前記通行情報の受信範囲が、前記フラッパーゲート本体の一方の外側に広がることを防止されるとともに前記フラッパーゲート本体の他方の外側に広がるように設定され、前記第３アンテナは、前記フラッパーゲート本体の一方に設けられ、前記通行情報の受信範囲が、前記フラッパーゲート本体の他方の外側に広がることを防止されるとともに前記フラッパーゲート本体の一方の外側に広がるように設定されたものである。
また、この発明に係るフラッパーゲート通行装置は、通路の両側に設けられた一対のフラッパーゲート本体と、前記フラッパーゲート本体の出口側に設けられたフラッパーと、前記フラッパーゲート本体の入口側に設けられた第１アンテナと、前記第１アンテナと前記フラッパーとの間で前記フラッパーゲート本体に設けられた第２アンテナと、前記第２アンテナと前記フラッパーとの間で前記フラッパーゲート本体に設けられた第３アンテナと、前記第１アンテナ、前記第２アンテナ、前記第３アンテナの順番でカードの通行情報が受信された場合は、前記フラッパーを開き、前記第１アンテナ、前記第２アンテナ、前記第３アンテナの順番以外の順番で前記通行情報が受信された場合は、前記フラッパーを閉じる制御装置と、を備え、前記制御装置は、前記第１アンテナ、前記第２アンテナ、前記第３アンテナの順番で前記通行情報が受信されて前記フラッパーを開いた後に、前記第２アンテナで前記通行情報が受信された場合は、前記フラッパーを閉じるものである。
【発明の効果】
【０００７】
この発明によれば、カードを所持した利用者が通路を正しく通行する場合のみにフラッパーを開き、カードを所持した利用者がフラッパーゲート本体の入口に近づいただけの場合は、フラッパーが開くことを防止することができる。
【図面の簡単な説明】
【０００８】
【図１】この発明の実施の形態１におけるフラッパーゲート通行装置の概略平面図である。
【図２】この発明の実施の形態１におけるフラッパーゲート通行装置の通行情報の受信範囲を説明するための平面図である。
【図３】この発明の実施の形態１におけるフラッパーゲート通行装置の動作を説明するためのフローチャートである。
【図４】この発明の実施の形態１におけるフラッパーゲート通行装置が設けられた通路を正しく通行する場合を説明するための平面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるフラッパーゲート通行装置の概略平面図である。
図１において、１は通路である。この通路１は、鉄道の駅の改札口等、利用者を通行管理する必要があるものである。この通路１の両側には、一対のフラッパーゲート本体２が設けられる。このフラッパーゲート本体２の一側は、通路１の入口３側に配置される。これに対し、フラッパーゲート本体２の他側は、通路１の出口４側に配置される。
【００１１】
これらのフラッパーゲート本体２の内側面の出口４側には、フラッパー５の一側縁部が軸支される。これらのフラッパー５は、駆動装置（図示せず）によって、通路１を開閉する機能を備える。具体的には、フラッパー５は、閉状態のときは、互いの他縁部を対向させる。これに対し、フラッパー５は、開状態のときは、互いの他縁部を、フラッパーゲート本体２の出口４側に回転移動する。
【００１２】
また、フラッパーゲート本体２には、複数の第１ＲＦアンテナＡ６〜第４ＲＦアンテナＤ９が設けられる。第１ＲＦアンテナＡ６は、フラッパーゲート本体２の一方の入口３近傍に設けられる。第２ＲＦアンテナＢ７は、第１ＲＦアンテナＡ６とフラッパー５との間でフラッパーゲート本体２の他方の中央に設けられる。第３ＲＦアンテナＣ８は、第２ＲＦアンテナＢ７とフラッパー５との間でフラッパーゲート本体２の一方の中央に設けられる。第４ＲＦアンテナＤ９は、フラッパー５よりも出口４側でフラッパーゲート本体２の一方に設けられる。これらの第１ＲＦアンテナＡ６〜第４ＲＦアンテナＤ９は、カード（図示せず）に組み込まれたＲＦＩＤタグ（図示せず）から無線で送信された通行情報を受信する機能を備える。
【００１３】
また、フラッパーゲート本体２の他方の上面中央には、報知装置１０が設けられる。この報知装置１０は、表示部（図示せず）とスピーカ部（図示せず）とを備える。さらに、フラッパーゲート本体２の他方の内部には、制御装置１１が設けられる。この制御装置１１は、第１ＲＦアンテナＡ６〜第４ＲＦアンテナＤ９から配線（図示せず）を介してカードの通行情報に関する検出信号が入力される機能を備える。この制御装置１１は、検出信号に基づいて、配線（図示せず）を介してフラッパー５に開閉信号を出力する機能を備える。さらに、制御装置１１は、検出信号に基づいて、配線（図示せず）を介して報知装置１０に報知信号を出力する機能を備える。
【００１４】
次に、図２を用いて、第１ＲＦアンテナＡ６〜第４ＲＦアンテナＤ９の通行情報の受信範囲について説明する。
図２はこの発明の実施の形態１におけるフラッパーゲート通行装置の通行情報の受信範囲を説明するための平面図である。
第１ＲＦアンテナＡ６〜第４ＲＦアンテナＤ９の通行情報の受信範囲は、各アンテナ６〜９を中心に略球状に広がるようになっている。かかる受信範囲は、アッテネータ（図示せず）を用いて磁界強度を調整することにより設定される。
【００１５】
具体的には、図２に示すように、第１ＲＦアンテナＡ６の受信範囲１２の通路１側は、フラッパーゲート本体２の他方の内側面まで広がるように設定される。これに対し、第１ＲＦアンテナＡ６の受信範囲１２の通路１とは反対側は、フラッパーゲート本体２の一方よりも外側まで広がるように設定される。
【００１６】
第２ＲＦアンテナＢ７の受信範囲１３の通路１側は、フラッパーゲート本体２の一方の内側面近傍まで広がるように設定される。これに対し、第２ＲＦアンテナＢ７の受信範囲１３の通路１とは反対側は、フラッパーゲート本体２の他方よりも外側まで広がるように設定される。また、第２ＲＦアンテナＢ７の受信範囲１３は、通路１内で、第１ＲＦアンテナＡ６の受信範囲１２の一部と重なるように設定される。
【００１７】
第３ＲＦアンテナＣ８の受信範囲１４の通路１側は、フラッパーゲート本体２の他方の内側面近傍まで広がるように設定される。これに対し、第３ＲＦアンテナＣ８の受信範囲１４の通路１とは反対側は、フラッパーゲート本体２の一方よりも外側まで広がるように設定される。また、第３ＲＦアンテナＣ８の受信範囲１４は、通路１内で、第２ＲＦアンテナＢ７の受信範囲１３の一部と重なるように設定される。
【００１８】
第４ＲＦアンテナＤ９の受信範囲１５の通路１側は、フラッパーゲート本体２の他方の内側面近傍まで広がるように設定される。これに対し、第４ＲＦアンテナＤ９の受信範囲１５の通路１とは反対側は、フラッパーゲート本体２の一方よりも外側まで広がるように設定される。また、第４ＲＦアンテナＤ９の受信範囲１５は、フラッパー５よりもフラッパーゲート本体２の入口３側で、第３ＲＦアンテナＣ８の受信範囲１４の一部と重なるように設定される。
【００１９】
次に、図３を用いて、本実施の形態のフラッパーゲート通行装置の動作を説明する。
図３はこの発明の実施の形態１におけるフラッパーゲート通行装置の動作を説明するためのフローチャートである。
まず、ステップＳ１では、制御装置１１は、第１ＲＦアンテナＡ６にて、カードの通行情報の受信強度、即ち、カードのＲＦＩＤタグからの磁界強度が最高値になっているか否かを判断する。第１ＲＦアンテナＡ６にて、カードのＲＦＩＤタグからの磁界強度が最高値になっている場合は、ステップＳ２に進む。
【００２０】
ステップＳ２では、制御装置１１は、第２ＲＦアンテナＢ７にて、カードのＲＦＩＤタグからの磁界強度が最高値になっているか否かを判断する。第２ＲＦアンテナＢ７にて、カードのＲＦＩＤタグからの磁界強度が最高値になっている場合は、ステップＳ３に進む。ステップＳ３では、制御装置１１は、第３ＲＦアンテナＣ８にて、カードのＲＦＩＤタグからの磁界強度が最高値になっているか否かを判断する。第３ＲＦアンテナＣ８にて、カードのＲＦＩＤタグからの磁界強度が最高値になっている場合は、ステップＳ４に進む。
【００２１】
ステップＳ４では、制御装置１１は、開信号をフラッパー５の駆動装置に出力する。かかる開信号が入力された駆動装置は、フラッパー５を開き、ステップＳ５に進む。ステップ５では、制御装置１１は、第４ＲＦアンテナＤ９にて、カードのＲＦＩＤタグからの磁界強度が最高値になっているか否かを判断する。第４ＲＦアンテナＤ９にて、カードのＲＦＩＤタグからの磁界強度が最高値である場合は、ステップＳ６に進む。
【００２２】
ステップＳ６では、制御装置１１は、カードのＲＦＩＤタグの通行情報と通行時間等の通行履歴に関する情報を、通行管理を行っているシステム（図示せず）に出力する。そして、システム側で、通行履歴が記録される。また、これと同時に、制御装置１１は、閉信号をフラッパー５の駆動装置に出力する。かかる閉信号が入力された駆動装置は、フラッパー５を閉じる。
【００２３】
これに対し、ステップＳ５で、第４ＲＦアンテナＤ９にて、カードのＲＦＩＤタグからの磁界強度が最高値になっていない場合は、ステップＳ７に進む。ステップＳ７では、制御装置１１は、第２ＲＦアンテナＢ７にて、カードのＲＦＩＤタグからの磁界強度が最高値になっているか否かを判断する。
【００２４】
第２ＲＦアンテナＢ７にて、カードのＲＦＩＤタグからの磁界強度が最高値になっていない場合は、ステップＳ５に戻り、制御装置１１は、第４ＲＦアンテナＤ９にて、カードのＲＦＩＤタグからの磁界強度が最高値になっているか否かを再び判断する。一方、第２ＲＦアンテナＢ７にて、カードのＲＦＩＤタグからの磁界強度が最高値になっている場合は、ステップＳ８に進む。
【００２５】
ステップＳ８では、制御装置１１は、閉信号をフラッパー５の駆動装置に出力する。かかる閉信号が入力された駆動装置は、フラッパー５を閉じる。また、これと同時に、制御装置１１は、報知信号を報知装置１０に出力する。かかる報知信号が入力された報知装置１０は、もう一度正しく通行するようにガイダンスを報知する。具体的には、一旦、入口３の外側に戻り、再度、入口３側から通行することを促す情報が、報知装置１０の表示部に表示されるとともにスピーカ部から音声で流れる。そして、かかるガイダンスの終了後、ステップＳ１からの動作が繰り返される。
【００２６】
一方、ステップＳ１〜Ｓ３で、第１ＲＦアンテナＡ６〜第３ＲＦアンテナＣ８の順番で、磁界強度が最高値とならない場合は、ステップＳ９に進む。ステップＳ９では、制御装置１１は、報知信号を報知装置１０に出力する。かかる報知信号が入力された報知装置１０は、エラーのガイダンスを報知する。具体的には、入口３側から通行することを促す情報が、報知装置１０の表示部に表示されるとともにスピーカ部から音声で流れる。そして、かかるガイダンスの終了後、ステップＳ１からの動作が繰り返される。
【００２７】
次に、図３及び図４を用いて、カードを所持した利用者が通路１を正しく通行する場合について説明する。
図４はこの発明の実施の形態１におけるフラッパーゲート通行装置が設けられた通路を正しく通行する場合を説明するための平面図である。
【００２８】
この場合、利用者が入口３近傍に来ると、Ｅ地点にて、第１ＲＦアンテナＡ６の受信範囲１２にカードが入る。このため、第１ＲＦアンテナＡ６に、カードの通行情報が受信される。即ち、第１ＲＦアンテナＡ６にて、カードのＲＦＩＤタグからの磁界強度が最高値になっている。このため、フラッパーゲート通行装置の動作は、図３のステップＳ１からステップＳ２に進む。
【００２９】
次に、利用者が出口４側に向かってＦ地点に移動すると、第１ＲＦアンテナＡ６の受信範囲１２と第２ＲＦアンテナＢ７の受信範囲１３とが重なった位置にカードが入る。このとき、制御装置１１は、第１ＲＦアンテナＡ６及び第２ＲＦアンテナＢ７がカードから受け取る磁界強度の大きさに基づいて、カードが第１ＲＦアンテナＡ６及び第２ＲＦアンテナＢ７のどちらに近いかを判別する。そして、第２ＲＦアンテナＢ７にて、カードのＲＦＩＤタグからの磁界強度が最高値になったら、フラッパーゲート通行装置の動作は、図３のステップＳ２からステップＳ３に進む。
【００３０】
その後、利用者が出口４側に向かって移動すると、カードは、第１ＲＦアンテナＡ６の受信範囲１２から外れて、第２ＲＦアンテナＢ７の受信範囲１３にのみ入る。その後、利用者が出口４側に向かってＧ地点に移動すると、第２ＲＦアンテナＢ７の受信範囲１３と第３ＲＦアンテナＣ８の受信範囲１４とが重なった位置にカードが入る。
【００３１】
このとき、制御装置１１は、第２ＲＦアンテナＢ７及び第３ＲＦアンテナＣ８がカードから受け取る磁界強度の大きさに基づいて、カードが第２ＲＦアンテナＢ７及び第３ＲＦアンテナＣ８のどちらに近いかを判別する。そして、第３ＲＦアンテナＣ８にて、カードのＲＦＩＤタグからの磁界強度が最高値になったら、フラッパーゲート通行装置の動作は、図３のステップＳ３からステップＳ４に進む。このため、制御装置１１は、開信号をフラッパー５の駆動装置に出力する。かかる開信号が入力された駆動装置は、フラッパー５を開く。
【００３２】
その後、利用者が出口４側に向かって移動すると、第３ＲＦアンテナＣ８の受信範囲１４と第４ＲＦアンテナＤ９の受信範囲１５とが重なった位置にカードが入る。その後、利用者が出口４側に向かってＨ地点に移動すると、カードは、第３ＲＦアンテナＣ８の受信範囲１４から外れて、第４ＲＦアンテナＤ９の受信範囲１５にのみ入る。これにより、フラッパーゲート通行装置の動作は、図３のステップＳ５からステップＳ６に進む。このため、制御装置１１は、閉信号をフラッパー５の駆動装置に出力する。かかる閉信号が入力された駆動装置は、フラッパー５の閉動作を開始する。そして、利用者がフラッパー５よりもフラッパーゲート本体２の出口４側に移動したときに、フラッパー５が完全に閉じる。
【００３３】
これに対し、利用者がＧ時点からフラッパーゲート本体２の入口３側に引き返すと、第２ＲＦアンテナＢ７にて、カードのＲＦＩＤタグからの磁界強度が最高値となる。これにより、フラッパーゲート通行装置の動作は、図３のステップＳ７からステップＳ８に進む。このため、制御装置１１は、閉信号をフラッパー５の駆動装置に出力する。かかる閉信号が入力された駆動装置は、フラッパー５を閉じる。また、これと同時に、一旦、入口３の外側に戻り、再度、入口３側から通行することを促す情報が、報知装置１０の表示部に表示されるとともにスピーカ部から音声で流れる。
【００３４】
次に、フラッパーゲート本体２の一方の外側に沿って、利用者がフラッパーゲート本体２の入口３側から出口４側まで移動しようとした場合について説明する。
この場合、利用者が入口３近傍に来ると、第１ＲＦアンテナＡ６の受信範囲１２にカードが入る。このため、第１ＲＦアンテナＡ６に、カードの通行情報が受信される。即ち、第１ＲＦアンテナＡ６にて、カードのＲＦＩＤタグからの磁界強度が最高値になっている。このため、フラッパーゲート通行装置の動作は、図３のステップＳ１からステップＳ２に進む。
【００３５】
次に、フラッパーゲート本体２の一方の外側に沿って、利用者がフラッパーゲート本体２の出口４側に移動しても、第２ＲＦアンテナＢ７の受信範囲１３にカードが入らない。そして、さらに、フラッパーゲート本体２の一方の外側に沿って、利用者がフラッパーゲート本体２の出口４側に移動すると、第３ＲＦアンテナＣ８の受信範囲１４にカードが入る。これにより、制御装置１１の動作は、図３のステップＳ２からステップＳ９に進む。このため、エラーのガイダンスが報知される。
【００３６】
次に、フラッパーゲート本体２の他方の外側に沿って、利用者がフラッパーゲート本体２の入口３側から出口４側まで移動しようとした場合について説明する。
この場合、利用者が入口３近傍に来ても、第１ＲＦアンテナＡ６の受信範囲１２にカードは入らない。その後、フラッパーゲート本体２の他方の外側に沿って、利用者がフラッパーゲート本体２の出口４側に移動すると、第２ＲＦアンテナＢ７の受信範囲１３にカードが入る。このため、制御装置１１の動作は、図３のステップＳ１からステップＳ９に進む。このため、エラーのガイダンスが報知される。
【００３７】
以上で説明した実施の形態１によれば、制御装置１１は、第１ＲＦアンテナＡ６、第２ＲＦアンテナＢ７、第３ＲＦアンテナＣ８の順番でカードの通行情報が受信された場合に、フラッパー５を開く。また、制御装置１１は、第１ＲＦアンテナＡ６、第２ＲＦアンテナＢ７、第３ＲＦアンテナＣ８の順番以外の順番でカードの通行情報が受信された場合に、フラッパー５を閉じる。
【００３８】
このため、カードを所持した利用者が通路１を正しく通行する場合のみにフラッパー５を開き、カードを所持した利用者がフラッパーゲート本体２の入口３に近づいただけの場合は、フラッパー５が開くことを防止することができる。また、カードを所持した利用者は、カードをかざす等の照合操作を行なわずに、ハンズフリーで通路１を通行することができる。
【００３９】
具体的には、第１ＲＦアンテナＡ６は、通行情報の受信範囲１２がフラッパーゲート本体２の他方の外側に広がることを防止されるとともにフラッパーゲート本体２の一方の外側に広がるように設定される。そして、第２ＲＦアンテナＢ７は、通行情報の受信範囲１３が、フラッパーゲート本体２の一方の外側に広がることを防止されるとともにフラッパーゲート本体２の他方の外側に広がるように設定される。さらに、前記第３ＲＦアンテナＣ８は、通行情報の受信範囲１４が、フラッパーゲート本体２の他方の外側に広がることを防止されるとともにフラッパーゲート本体２の一方の外側に広がるように設定される。
【００４０】
このため、利用者がフラッパーゲート本体２の外側に沿って、フラッパーゲート本体２の入口３側から出口４側に移動すると、第１ＲＦアンテナＡ６、第２ＲＦアンテナＢ７、第３ＲＦアンテナＣ８の順番以外の順番でカードの通行情報が受信される。これにより、フラッパー５が開くことを防止することができる。
【００４１】
また、制御装置１１は、第１ＲＦアンテナＡ６、第２ＲＦアンテナＢ７、第３ＲＦアンテナＣ８の順番でカード通行情報が受信された場合に、報知装置１０に、入口３側から通行することを促す情報を報知させる。このため、フラッパーゲート本体２の入口３側から出口４側に移動しようとする利用者は、正しく通路１を通行すべきであることを認識することができる。
【００４２】
さらに、制御装置１１は、第１ＲＦアンテナＡ６、第２ＲＦアンテナＢ７、第３ＲＦアンテナＣ８の順番でカードの通行情報が受信されてフラッパー５を開いた後に、第２ＲＦアンテナＢ７でカードの通行情報が受信された場合に、フラッパー５を閉じる。このため、利用者がフラッパーゲート本体２の入口３側に引き返した場合に、フラッパー５が開いたままの状態になることを防止することができる。
【００４３】
加えて、制御装置１１は、第１ＲＦアンテナＡ６、第２ＲＦアンテナＢ７、第３ＲＦアンテナＣ８の順番でカードの通行情報が受信されてフラッパー５を開いた後に、第２ＲＦアンテナＢ７でカード通行情報が受信された場合に、報知装置１０に、再度、フラッパーゲート本体２の入口３側から通行することを促す情報を報知させる。このため、フラッパーゲート本体２の入口３側に引き返した利用者は、再度、正しく通路１を通行すべきであることを認識することができる。
【００４４】
また、制御装置１１は、第１ＲＦアンテナＡ６〜第３ＲＦアンテナＣ８の通行情報の受信強度の大きさに基づいて、カードの位置を判別する。このため、利用者が正しく通路１を通行しているかをより正確に認識することができる。
【符号の説明】
【００４５】
１  通路  
２  フラッパーゲート本体
３  入口
４  出口
５  フラッパー
６  第１ＲＦアンテナＡ
７  第２ＲＦアンテナＢ
８  第３ＲＦアンテナＣ
９  第４ＲＦアンテナＤ
１０  報知装置
１１  制御装置
１２〜１５  受信範囲
【図１】
0005499747.tif 000002
【図２】
0005499747.tif 000003
【図３】
0005499747.tif 000004
【図４】
0005499747.tif 000005